(57)【要約】  指が固定される指ホルダーと、指ホルダーに固定された指の爪にイメージを印刷するプリンター部とを含み、前記プリンター部は、プリンターヘッドフレームに設置されるプリンターヘッドと、プリンターヘッドを左右方向に移動させる第１の移動ユニットと、プリンターヘッドフレームを前後方向に移動させる第２の移動ユニットとを含み、前記第２の移動ユニットは、駆動モーターと、駆動モーターによって駆動する第１の駆動部材と、第１の駆動部材と離隔して設置され、指の爪にイメージを印刷する場合、第１の駆動部材に密着して密着性を提供すると同時に、第１の駆動部材の前後移動を案内する第２の駆動部材と、指の爪にイメージを印刷するときは、第２の駆動部材を前記第１の駆動部材に密着させるように第２の駆動部材を上昇させ、指の爪にイメージを印刷しないときは、第２の駆動部材を第１の駆動部材と離隔させる第２の駆動部材昇降モジュールとを含むネイルアート装置を開示する。本発明のネイルアート装置は、プリンターヘッドを第１の移動ユニットが左右に移動させ、プリントヘッダーが設置されたプリンターヘッドフレームを第２の移動ユニットが前後に移動させるので、使用者が望むイメージを自動的に印刷することができる。【選択図】図２
2013526974.tif 000002
【特許請求の範囲】
【請求項１】
指が固定される指ホルダー（１０）と、前記指ホルダー（１０）に固定された指の爪にイメージを印刷するプリンター部（２０）と、を含むネイルアート装置において、
前記プリンター部（２０）は、プリンターヘッドフレーム（３３）に設置されるプリンターヘッド（３０）と、前記プリンターヘッド（３０）を左右方向に移動させる第１の移動ユニット（４０）と、前記プリンターヘッドフレーム（３３）を前後方向に移動させる第２の移動ユニット（５０）と、を含み、
前記第２の移動ユニット（５０）は、
駆動モーター（５１）と、前記駆動モーター（５１）によって駆動する第１の駆動部材（５３）と、前記第１の駆動部材（５３）と離隔して設置され、指の爪にイメージを印刷する場合、前記第１の駆動部材（５３）に密着して密着性を提供すると同時に、前記第１の駆動部材（５３）の前後移動を案内する第２の駆動部材（５４）と、指の爪にイメージを印刷するときは、前記第２の駆動部材（５４）を前記第１の駆動部材（５３）に密着させるように前記第２の駆動部材（５４）を上昇させ、指の爪にイメージを印刷しないときは、前記第２の駆動部材（５４）を前記第１の駆動部材（５３）と離隔させる第２の駆動部材昇降モジュール（６０）と、を含むことを特徴とするネイルアート装置。
【請求項２】
前記第１の駆動部材（５３）はピニオンギア（５３ａ、５３ｂ）を含み、
前記第２の駆動部材（５４）は、前記第１の駆動部材（５３）と噛み合うラックギア（５５）を含むことを特徴とする、請求項１に記載のネイルアート装置。
【請求項３】
前記第１の駆動部材（５３）は円柱状の摩擦車（１５３）であって、
前記第２の駆動部材（５４）は、前記第１の駆動部材（５３）が接触した状態で前記第１の駆動部材（５３）の転がり運動を誘導する平板状の摩擦ラック（１５５）であることを特徴とする、請求項１に記載のネイルアート装置。
【請求項４】
前記第１の駆動部材（５３）及び前記第２の駆動部材（５４）のうち少なくとも一つは、伸縮性のある材質からなることを特徴とする、請求項２又は３に記載のネイルアート装置。
【請求項５】
前記第１の駆動部材（５３）は、前記プリンターヘッドフレーム（３３）に連結される連結部材（５２）に軸結合され、
前記第２の駆動部材（５４）は前後方向に延在していることを特徴とする、請求項１に記載のネイルアート装置。
【請求項６】
前記第２の駆動部材昇降モジュール（６０）は、
駆動モーター（６１）と、
前記第２の駆動部材（５４）が収容される収容溝（６２ａ）を有する第２の駆動部材フレーム（６２）と、
前記第２の駆動部材フレーム（６２）の一側に配置され、前記第２の駆動部材（５４）とピン結合される昇降プレート（６３）と、
前記昇降プレート（６３）と結合され、前記駆動モーター（６１）の回転によって前記昇降プレート（６３）を昇降させる昇降バー（６４）と、を含むことを特徴とする、請求項１に記載のネイルアート装置。
【請求項７】
前記第２の駆動部材昇降モジュール（６０）は、前記駆動モーター（６１）の回転によって回転するクランク軸（６７）に装着されるクランクアーム（６６）と、前記クランクアーム（６６）で前記クランク軸（６７）に対して偏心した位置に設置されるクランクピン（６５）と、をさらに含み、
前記昇降バー（６４）は、前記クランクピン（６５）が挿入されて案内される第１のガイド孔（６４ａ）を備えており、前記駆動モーター（６１）の回転時に昇降することを特徴とする、請求項６に記載のネイルアート装置。
【請求項８】
前記第２の駆動部材フレーム（６２）の一側には、前記第２の駆動部材（５４）と前記昇降プレート（６３）をピン結合するピン部材が貫通する第２のガイド孔（６２ｂ）が形成され、
前記第２のガイド孔（６２ｂ）は、前記昇降プレート（６３）の昇降によって前記ピン部材の昇降を案内するように上下に長く形成されていることを特徴とする、請求項６に記載のネイルアート装置。
【請求項９】
前記第２の駆動部材フレーム（６２）の収容溝（６２ａ）には、前記第２の駆動部材（５４）を弾性支持する弾性部材（６２ｃ）が設置されていることを特徴とする、請求項６に記載のネイルアート装置。
【請求項１０】
前記第１の移動ユニット（４０）は、
駆動モーター（４１）と、
前記プリンターヘッドフレーム（３３）上に設置され、前記駆動モーター（４１）の回転によって移動し、前記プリンターヘッド（３０）が連結され、前記駆動モーター（４１）の回転時に前記プリンターヘッド（３０）を左右に移動させるタイミングベルト（４３）と、を含むことを特徴とする、請求項１に記載のネイルアート装置。
【請求項１１】
指が固定される指ホルダー（１０）と、前記指ホルダー（１０）に固定された指の爪にイメージを印刷するプリンター部（２０）と、を含むネイルアート装置において、
前記プリンター部（２０）は、プリンターヘッドフレーム（３３）に設置されるプリンターヘッド（３０）と、前記プリンターヘッド（３０）を左右方向に移動させる第１の移動ユニット（４０）と、前記プリンターヘッドフレーム（３３）を前後方向に移動させる第２の移動ユニット（５０）と、を含み、
前記第２の移動ユニット（５０）は、
駆動モーター（５１）と、前記駆動モーター（５１）によって駆動する円柱状の移動型第１の駆動部材（５３）と、前記第１の駆動部材（５３）が固定され、前記プリンターヘッドフレーム（３３）に連結される連結部材（５２）と、前記第１の駆動部材（５３）が密着し、前記第１の駆動部材（５３）の前後移動を案内する平板状の固定型第２の駆動部材（５４）と、を含み、
前記第１の駆動部材（５３）及び前記第２の駆動部材（５４）のうち少なくとも一つは伸縮性のある材質を有することを特徴とするネイルアート装置。
【請求項１２】
前記第２の移動ユニット（５０）は、指の爪にイメージを印刷する場合のみに前記第２の駆動部材（５４）を前記第１の駆動部材（５３）に密着させるように前記第２の駆動部材（５４）を上昇させ、指の爪にイメージを印刷しない場合には前記第２の駆動部材（５４）を前記第１の駆動部材（５３）と離隔させる第２の駆動部材昇降モジュール（６０）をさらに含み、
前記第２の駆動部材昇降モジュール（６０）は、
駆動モーター（６１）と、
前記第２の駆動部材（５４）が収容される収容溝（６２ａ）を有する第２の駆動部材フレーム（６２）と、
前記第２の駆動部材フレーム（６２）の一側に配置され、前記第２の駆動部材（５４）とピン結合される昇降プレート（６３）と、
前記昇降プレート（６３）と結合され、前記駆動モーター（６１）の回転によって前記昇降プレート（６３）を昇降させる昇降バー（６４）と、を含むことを特徴とする、請求項１１に記載のネイルアート装置。
【請求項１３】
前記第１の移動ユニット（４０）は、
駆動モーター（４１）と、
前記プリンターヘッドフレーム（３３）上に設置され、前記駆動モーター（４１）の回転によって移動し、前記プリンターヘッド（３０）が連結され、前記駆動モーター（４１）の回転時に前記プリンターヘッド（３０）を左右に移動させるタイミングベルト（４３）と、を含むことを特徴とする、請求項１１に記載のネイルアート装置。
【発明の詳細な説明】
【技術分野】
【０００１】
本発明は、ネイルアート装置に関し、より詳細には、指の爪に所望のイメージを自動的に印刷できるネイルアート装置に関する。
【背景技術】
【０００２】
一般に、ネイルアートは、指の爪という狭い空間上で行える創造的な芸術作業であって、多様な方法を用いて指の爪をデザインしながらファッションを楽しむ作業である。
【０００３】
このようなネイルアートは、非常に狭い指の爪上にイメージを描かなければならないので、ネイルアートを専門とする一部の技術者のみが容易に施行することができ、人が直接手作業で実施するので、多くの時間がかかる。
【０００４】
すなわち、社会の発展と共に美容に対する消費者の欲求が日々に高まり、ネイルアートに対する関心が高まっている一方、ネイルアートを専門的に行うネイルアートショップで指の爪にイメージを描いたり管理するには多くの時間と費用が消費されている。
【発明の概要】
【発明が解決しようとする課題】
【０００５】
本発明は、このような問題を解決するためのもので、本発明の目的は、指の爪に使用者が望むイメージを自動的に印刷できるネイルアート装置を提供することにある。
【０００６】
また、本発明の他の目的は、プリンターヘッドの動きを精密に制御し、優れた品質のイメージを指の爪にプリントできるネイルアート装置を提供することにある。
【課題を解決するための手段】
【０００７】
前記の目的を達成するための本発明のネイルアート装置は、指が固定される指ホルダーと、前記指ホルダーに固定された指の爪にイメージを印刷するプリンター部とを含む。
【０００８】
前記プリンター部は、プリンターヘッドフレームに設置されるプリンターヘッドと、前記プリンターヘッドを左右方向に移動させる第１の移動ユニットと、前記プリンターヘッドフレームを前後方向に移動させる第２の移動ユニットとを含む。
【０００９】
前記第２の移動ユニットは、駆動モーターと、前記駆動モーターによって駆動する第１の駆動部材と、前記第１の駆動部材と離隔して設置され、指の爪にイメージを印刷する場合、前記第１の駆動部材に密着して密着性を提供すると同時に、前記第１の駆動部材の前後移動を案内する第２の駆動部材と、指の爪にイメージを印刷するときは、前記第２の駆動部材を前記第１の駆動部材に密着させるように前記第２の駆動部材を上昇させ、指の爪にイメージを印刷しないときは、前記第２の駆動部材を前記第１の駆動部材と離隔させる第２の駆動部材昇降モジュールとを含む。
【００１０】
前記第１の駆動部材はピニオンギアを含み、前記第２の駆動部材は前記第１の駆動部材と噛み合うラックギアを含む。
【００１１】
前記第１の駆動部材は円柱状の摩擦車を含み、前記第２の駆動部材は、前記第１の駆動部材が接触した状態で前記第１の駆動部材の転がり運動を誘導する平板状の摩擦ラックを含む。
【００１２】
前記第１の駆動部材及び前記第２の駆動部材のうち少なくとも一つは、伸縮性のある材質からなる。
【００１３】
前記第１の駆動部材は、前記プリンターヘッドフレームに連結される連結部材に軸結合され、前記第２の駆動部材は前後方向に延在している。
【００１４】
前記第２の駆動部材昇降モジュールは、駆動モーターと、前記第２の駆動部材が収容される収容溝を有する第２の駆動部材フレームと、前記第２の駆動部材フレームの一側に配置され、前記第２の駆動部材とピン結合される昇降プレートと、前記昇降プレートと結合され、前記駆動モーターの回転によって前記昇降プレートを昇降させる昇降バーとを含む。
【００１５】
前記第２の駆動部材昇降モジュールは、前記駆動モーターの回転によって回転するクランク軸に装着されるクランクアームと、前記クランクアームで前記クランク軸に対して偏心した位置に設置されるクランクピンとをさらに含む。
【００１６】
前記昇降バーは、前記クランクピンが挿入されて案内される第１のガイド孔を備えており、前記駆動モーターの回転時に昇降する。
【００１７】
前記第２の駆動部材フレームの一側には、前記第２の駆動部材と前記昇降プレートをピン結合するピン部材が貫通する第２のガイド孔が形成され、前記第２のガイド孔は、前記昇降プレートの昇降によって前記ピン部材の昇降を案内するように上下に長く形成される。
【００１８】
前記第２の駆動部材フレームの収容溝には、前記第２の駆動部材を弾性支持する弾性部材が設置される。
【００１９】
前記第１の移動ユニットは、駆動モーターと、前記プリンターヘッドフレーム上に設置され、前記駆動モーターの回転によって移動し、前記プリンターヘッドが連結され、前記駆動モーターの回転時に前記プリンターヘッドを左右に移動させるタイミングベルトとを含む。
【００２０】
前記の目的を達成するための本発明のネイルアート装置は、指が固定される指ホルダーと、前記指ホルダーに固定された指の爪にイメージを印刷するプリンター部とを含む。
【００２１】
前記プリンター部は、プリンターヘッドフレームに設置されるプリンターヘッドと、前記プリンターヘッドを左右方向に移動させる第１の移動ユニットと、前記プリンターヘッドフレームを前後方向に移動させる第２の移動ユニットとを含む。
【００２２】
前記第２の移動ユニットは、駆動モーターと、前記駆動モーターによって駆動する円柱状の移動型第１の駆動部材と、前記第１の駆動部材が固定され、前記プリンターヘッドフレームに連結される連結部材と、前記第１の駆動部材が密着し、前記第１の駆動部材を前後に移動するように案内する平板状の固定型第２の駆動部材とを含む。
【００２３】
前記第１の駆動部材及び前記第２の駆動部材のうち少なくとも一つは、伸縮性のある材質を有する。
【発明の効果】
【００２４】
本発明のネイルアート装置は、プリンター部を通して使用者が望むイメージを自動的に印刷できるので、使用上便利であり、所要時間を短縮させることができる。
【００２５】
また、本発明のネイルアート装置は、少なくとも一つが伸縮性のある材質からなる第１の駆動部材と第２の駆動部材が密着した状態でプリンターヘッドフレームを前後方向に移動させることからスリップが発生せず、優れた品質のイメージを指の爪に印刷することができる。
【００２６】
また、本発明のネイルアート装置は、指の爪にイメージを印刷するときのみに第２の移動ユニットの第１の駆動部材と第２の駆動部材とを密着させるので、プリンターヘッドの掃除の時又はプリンターヘッドの整列の時にプリンターヘッドが前後に動くことを防止することができる。
【図面の簡単な説明】
【００２７】
【図１】本発明のネイルアート装置を概略的に示した図である。
【図２】本発明のネイルアート装置のプリンター部を示した斜視図である。
【図３】本発明のネイルアート装置の第１の移動ユニットを示した平面図である。
【図４】本発明のネイルアート装置の第２の移動ユニットを示した斜視図である。
【図５】図４に示した第２の移動ユニットの分解斜視図である。
【図６】本発明のネイルアート装置の第２の移動ユニットの他の実施例を示した斜視図である。
【図７】本発明のネイルアート装置の第２の移動ユニットの動作関係を説明するために示した図である。
【発明を実施するための形態】
【００２８】
以下では、添付の図面を参照して本発明のネイルアート装置について詳細に説明する。
【００２９】
本発明のネイルアート装置は、図１に示したように、指の爪に印刷するイメージを選択する入力部２と、選択されたイメージを指の爪に印刷するプリンターアセンブリー３と、プリンターアセンブリー３の動作を制御する制御部（図示せず）とを含む。
【００３０】
入力部２は、上述したように、指の爪に印刷しようとするイメージを選択することができ、選択されたイメージのサイズ及び位置を変更することができる。このような入力部２は、使用者が容易にイメージを選択すると同時に、選択されたイメージのサイズ及び位置を変更できるように、外観を形成するケース１の一側に設置されるタッチスクリーンとして設けられる。
【００３１】
プリンターアセンブリー３は、図２に示したように、使用者の指が固定される指ホルダー１０と、入力部２によって選択されたイメージを指の爪に印刷するプリンター部２０とを含む。
【００３２】
まず、指ホルダー１０は、使用者の指が載せられると、イメージを印刷しようとする指の爪を固定する役割をする。
【００３３】
プリンター部２０は、指ホルダー１０に固定される指の爪にイメージを印刷するプリンターヘッド３０と、指の爪にイメージを印刷する過程でプリンターヘッド３０を左右に移動させる第１の移動ユニット４０と、指の爪にイメージを印刷する過程でプリンターヘッド３０を前後に移動させる第２の移動ユニット５０とを含む。
【００３４】
プリンターヘッド３０は、通常のインクジェットカートリッジとして設けられ、指の爪に多様な色相のイメージを印刷させる。このようなプリンターヘッド３０はプリンターヘッドトレー３１に装着され、このようにプリンターヘッド３０が装着されたプリンターヘッドトレー３１は、ベースプレート２１の前方領域でベースプレート２１の幅方向に設置されるプリンターヘッドフレーム３３に設置される。ここで、図中、未説明符号３７は、プリンターヘッド３０をクリーニングするためのクリーナーである。
【００３５】
第１の移動ユニット４０は、プリンターヘッドフレーム３３に設置され、上述したように、プリンターヘッド３０を左右に移動させる役割をする。このような第１の移動ユニット４０は、図２及び図３に示したように、第１の駆動モーター４１と、第１の駆動モーター４１によって回転する駆動プーリー４２ａ、及びこの駆動プーリー４２ａに離隔して配置される従動プーリー４２ｂを含むタイミングプーリー４２と、タイミングプーリー４２が設置され、プリンターヘッドトレー３１と連結されるタイミングベルト４３とを含む。
【００３６】
ここで、第１の駆動モーター４１とタイミングプーリー４２の駆動プーリー４２ａとの間には、多数のギアからなるギアボックス（図示せず）をさらに設置することができる。そして、プリンターヘッドフレーム３３には、プリンターヘッドトレー３１の円滑な左右移動を案内するガイド棒３５が設置される。
【００３７】
前記タイミングベルト４３は、プリンターヘッドフレーム３３の長さ方向、すなわち、本発明のネイルアート装置の左右方向に設置されるが、プリンターヘッドトレー３１が左右方向に長く設置されるタイミングベルト４３に連結されているので、プリンターヘッド３０は、第１の駆動モーター４１の回転時にタイミングベルト４３の動きに伴って左右方向に動くことができる。
【００３８】
第２の移動ユニット５０は、プリンターヘッドフレーム３３を前後に移動させる役割をする。以下では、図４及び図５を参照して第２の移動ユニットの第１の実施例を説明する。
【００３９】
第２の移動ユニット５０は、第２の駆動モーター５１と、第２の駆動モーター５１によって駆動する第１の駆動部材５３と、第１の駆動部材５３が軸結合され、プリンターヘッドフレーム３３に連結される連結部材５２と、第１の駆動部材５３と離隔して設置され、指の爪にイメージを印刷する場合、第１の駆動部材５３に密着すると同時に、第１の駆動部材５３の前後移動を案内する第２の駆動部材５４と、第２の駆動部材５４を第１の駆動部材５３に密着させるように第２の駆動部材５４を昇降させる第２の駆動部材昇降モジュール６０とを含む。
【００４０】
具体的に、第２の駆動モーター５１は、通常の電気モーターである。
【００４１】
第１の駆動部材５３は、第２の駆動モーター５１の軸上に装着される第１のピニオンギア５３ａと、第１のピニオンギア５３ａと噛み合わされる第２のピニオンギア５３ｂとを含む。このとき、本発明の一実施例では、上述したように、二つのピニオンギアを装着しているが、一つ又は三つ以上のピニオンギアを装着することもできる。
【００４２】
前記各ピニオンギア５３ａ、５３ｂは、ゴム及びシリコーンなどの伸縮性のある材質からなる。少なくとも第２の駆動部材５４と密着する第２のピニオンギア５３ｂは、伸縮性のある材質からなることが望ましい。
【００４３】
連結部材５２は、上述したように、プリンターヘッドフレーム３３に連結される連結ブラケットであってもよい。このような連結ブラケットには、第１のピニオンギア５３ａと第２のピニオンギア５３ｂ、すなわち、第１の駆動部材５３が軸結合される。
【００４４】
第２の駆動部材５４は、本発明のネイルアート装置の前後方向に延在するラックギア５５を含む。このようなラックギア５５は、上述したように、第２の駆動部材昇降モジュール６０によって昇降可能に設けられ、指の爪にイメージを印刷する場合のみに上昇し、第１の駆動部材５３、すなわち、第２のピニオンギア５３ｂと噛み合わされる。また、前記ラックギア５５は、ピニオンギアと同様に、伸縮性のある材質からなる。
【００４５】
このとき、本発明では、上述したように、第１の駆動部材５３及び第２の駆動部材５４のうち少なくとも一つが伸縮性のある材質からなり得るが、このように第１及び第２の駆動部材５３、５４のうち少なくとも一つが伸縮性のある材質からなると、プリンターヘッドフレームの前後移動時にスリップが発生しない。すなわち、プリンターヘッドフレームの前後移動時にスリップが発生しないと、小さいサイズの指の爪にイメージを印刷する過程で前後にイメージが重なることを防止し、優れた品質のイメージを印刷できるようになる。
【００４６】
本発明のネイルアート装置は、小さいサイズの指の爪にイメージを印刷するため精密な品質を要求するが、第２の駆動部材昇降モジュール６０は、上述したように、第２の駆動部材５４を昇降させる役割をする。このような第２の駆動部材昇降モジュール６０は、指の爪にイメージを印刷するときは、第２の駆動部材５４を上昇させて第１の駆動部材５３と密着させ、指の爪にイメージを印刷しない待機時には、第２の駆動部材５４を下降させて第１の駆動部材５３と離隔させる。
【００４７】
前記のように指の爪にイメージを印刷する場合のみに第２の駆動部材５４を第１の駆動部材５３に密着させる理由は、指の爪にイメージを印刷するためにプリンターヘッド３０を左右に整列する過程を経る場合、第１の駆動部材５３が第２の駆動部材５４に密着した状態でのプリンターヘッド３０の前後移動によってプリンターヘッド３０の整列が円滑に行われないことを防止するためである。
【００４８】
また、前記のように指の爪にイメージを印刷する場合のみに第２の駆動部材５４を第１の駆動部材５３に密着させる理由は、プリンターヘッド３０の掃除時にプリンターヘッド３０をプリンターヘッドフレーム３３の一側に設置されたクリーナー３７側に移動させる場合も、第１の駆動部材５３と第２の駆動部材５４が密着した状態でのプリンターヘッド３０の前後移動によってプリンターヘッド３０がクリーナー３７に容易に収納されないことを防止するためである。
【００４９】
前記第２の駆動部材昇降モジュール６０は、第３の駆動モーター６１と、第２の駆動部材５４が収容される収容溝６２ａを有する第２の駆動部材フレーム６２と、第２の駆動部材フレーム６２の一側に配置され、第２の駆動部材５４とピン部材によってピン結合される昇降プレート６３と、昇降プレート６３と結合され、第３の駆動モーター６１の回転によって昇降プレート６３を昇降させる昇降バー６４とを含む。
【００５０】
具体的に、第３の駆動モーター６１は、通常の電気モーターである。
【００５１】
第２の駆動部材フレーム６２は、図４に示したように、ベースプレート２１の上面で前後方向に結合されたサイドプレート６９の一側に設置される。図５を参照すると、このような第２の駆動部材フレーム６２の上面には、上述したように、第２の駆動部材５４、すなわち、ラックギア５５が収容される収容溝６２ａが形成されている。このときの収容溝６２ａには、第２の駆動部材５４を弾性支持する弾性部材６２ｃが設置される。
【００５２】
また、第２の駆動部材フレーム６２の一側には、昇降プレート６３と第２の駆動部材５４のピン結合のために上下方向に長く形成されるガイド孔６２ｂが備えられている。すなわち、昇降プレート６３と第２の駆動部材５４をピン結合するピン部材は、ガイド孔６２ｂによって案内され、昇降プレート６３の昇降を第２の駆動部材５４に連動させる。
【００５３】
昇降プレート６３は、上述したように、昇降バー６４の昇降に連動し、このような昇降プレート６３の動きは第２の駆動部材５４に伝達される。
【００５４】
昇降バー６４は、第３の駆動モーター６１の回転によって昇降するように設けられ、このような昇降バー６４には、上下方向に長く形成されるガイド孔６４ａが備えられる。
【００５５】
また、前記第２の駆動部材昇降モジュール６０は、第３の駆動モーター６１と連結され、第３の駆動モーター６１の回転力を減速するように多数のギアからなるギアボックス６８と、ギアボックス６８のギアのうち一つと軸連結されるクランク軸６７に装着されるクランクアーム６６と、クランクアーム６６でクランク軸６７に対して偏心した位置に設置されるクランクピン６５とをさらに含む。このようなクランクピン６５は、昇降バー６４に形成されたガイド孔６４ａに挿入され、第３の駆動モーター６１の回転時に昇降バー６４を上下に動かせる。
【００５６】
以下では、図６を参照して本発明のネイルアート装置の第２の移動ユニットの第２の実施例を説明する。このとき、第１の実施例と同一の構成要素についての具体的な説明は省略し、同一の構成要素には同一の図面符号を付与する。
【００５７】
第２の移動ユニット５０は、第２の駆動モーター５１と、第２の駆動モーター５１によって駆動する第１の駆動部材５３と、第１の駆動部材５３が軸結合され、プリンターヘッドフレーム３３に連結される連結部材５２と、第１の駆動部材５３と離隔して設置され、指の爪にイメージを印刷する場合に第１の駆動部材５３に密着する第２の駆動部材５４と、第２の駆動部材５４を第１の駆動部材５３に密着させるように第２の駆動部材５４を昇降させる第２の駆動部材昇降モジュール６０とを含む。
【００５８】
具体的に、第１の駆動部材５３は、第２の駆動モーター５１と軸連結される円柱状の摩擦車１５３であって、第２の駆動部材５４は、本発明のネイルアート装置の前後方向に設けられ、第２の駆動部材昇降モジュール６０によって上昇するとき、円柱状の摩擦車１５３の転がり運動を誘導する歯形のない平板状の摩擦ラック１５５である。
【００５９】
ここで、円柱状の摩擦車１５３からなる第１の駆動部材５３及び平板状の摩擦ラック１５５からなる第２の駆動部材５４は、ゴム及びシリコーンなどの伸縮性のある材質からなる。
【００６０】
以下では、図面を参照して本発明のネイルアート装置の動作を説明する。
【００６１】
まず、図１を参照すると、本発明のネイルアート装置を用いて指の爪にイメージを印刷するためには、入力部２を通して使用者が望むイメージを選択する。
【００６２】
指ホルダー１０に指を固定した後、カメラを通して入力部２に表示される指の爪に選択されたイメージを適用し、イメージのサイズ及び位置を変更する。
【００６３】
以後、図７に示したように、第２の駆動部材昇降モジュール６０を作動させ、第２の駆動部材５４を第１の駆動部材５３と密着させる。具体的に、第３の駆動モーター６１を作動させ、この第３の駆動モーター６１の回転力を昇降バー６４に伝達して昇降バー６４を上昇させ、昇降バー６４の上昇に伴い、昇降プレート６３によって第２の駆動部材５４を上昇させて第１の駆動部材５３に密着させる。
【００６４】
次に、第２の駆動部材５４が第１の駆動部材５３に密着した後、指ホルダー１０に固定された指の爪に選択されたイメージを印刷するようになる。このとき、プリンター部２０の作動は、図２に示したように、第１の移動ユニット４０によってプリンターヘッド３０をプリンターヘッドフレーム３３上で左右に移動させ、第２の移動ユニット５０によってプリンターヘッドフレーム３３を前後に移動させることによって行われる。
【００６５】
このとき、第１の駆動部材５３と第２の駆動部材５４は、ゴム及びシリコーンなどの伸縮性のある材質からなっているので、第１の駆動部材５３は、第２の駆動部材５４に密着した状態で第２の駆動部材５４に沿って前後方向にスリップせずに移動することができる。
【符号の説明】
【００６６】
２    入力部
３    プリンターアセンブリー
１０    指ホルダー
２０    プリンター部
３０    プリンターヘッド
３１    プリンターヘッドトレー
３３    プリンターヘッドフレーム
４０    第１の移動ユニット
４１    第１の駆動モーター
４３    タイミングプーリー
４５    タイミングベルト
５０    第２の移動ユニット
５１    第２の駆動モーター
５２    連結部材
５３    第１の駆動部材
５３ａ、５３ｂ    第１及び第２のピニオンギア
１５３    円柱状の摩擦車
５４    第２の駆動部材
５５    ラックギア
１５５    平板状の摩擦ラック
６０    第２の駆動部材昇降モジュール
６１    第３の駆動モーター
６２    第２の駆動部材フレーム
６２ａ    収容溝
６２ｂ    第２のガイド孔
６２ｃ    弾性部材
６３    昇降プレート
６４    昇降バー
６４ａ    第１のガイド孔
６５    クランクピン
６６    クランクアーム
６７    クランク軸
【図１】
2013526974.tif 000003
【図２】
2013526974.tif 000004
【図３】
2013526974.tif 000005
【図４】
2013526974.tif 000006
【図５】
2013526974.tif 000007
【図６】
2013526974.tif 000008
【図７（ａ）】
2013526974.tif 000009
【図７（ｂ）】
2013526974.tif 000010
【国際調査報告】
2013526974.tif 000011
2013526974.tif 000012
2013526974.tif 000013
2013526974.tif 000014